(57)【要約】【課題】贈り物としての米の贈与や子供の出産報告のみならず、出産時の感動さえも分かち合うことができる米収容ぬいぐるみ、米収容ぬいぐるみの販売方法および米収容ぬいぐるみの販売システムを提供する。【解決手段】乳児の誕生時の体重に合わせた重量の米２を収容してなる米袋３と、乳児の体に合わせた立体形状であると共に前記米袋３を収容可能に構成されたぬいぐるみ本体４とを有し、前記ぬいぐるみ本体４の顔に相当する部分に乳児の顔を印刷してなる写真表示部５を備える米収容ぬいぐるみ１を提供し、インターネット１１を介して販売する。【選択図】図１
2010218368.tif 000002
【特許請求の範囲】
【請求項１】
乳児の体重に合わせた重量の米を収容してなる米袋と、
乳児の体に合わせた立体形状であると共に前記米袋を収容可能に構成されたぬいぐるみ本体とを有し、
前記ぬいぐるみ本体の顔に相当する部分に乳児の顔を印刷してなる写真表示部を備えることを特徴とする米収容ぬいぐるみ。
【請求項２】
前記ぬいぐるみ本体の形状は、乳児服に似せたデザインを施した形状である請求項１に記載の米収容ぬいぐるみ。
【請求項３】
前記写真表示部は乳児の顔が印刷されたシートの顔部分を切り取ってぬいぐるみ本体に貼着して形成された顔印刷シートからなる請求項１または請求項２に記載の米収容ぬいぐるみ。
【請求項４】
前記米袋は米の種類、生産地、生産者の少なくとも一つを含む生産情報および追加注文方法が記載された米情報記録部を備える請求項１〜請求項３の何れかに記載の米収容ぬいぐるみ。
【請求項５】
請求項１〜請求項４の何れかに記載の米収容ぬいぐるみを販売する方法であり、
インターネットにアクセスする利用者側端末から少なくとも乳児の体重、乳児の顔を撮像した画像を含む乳児データ、米収容ぬいぐるみの送付を依頼する利用者に関する利用者データ、米収容ぬいぐるみの送付先に関する送付先データを含む受注データを受注サーバに収集するフォームを備える注文ページを公開し、
この受注サーバが前記注文ページのフォームを用いて入力された乳児データに含まれる乳児の体重と米の代金の関係から利用料金を算出してこれを注文ページに反映させ、
利用者側端末から各データが入力された後に受注サーバに収集した受注データに含まれる前記体重に合わせた米袋を製造部に製造させ、前記乳児データに合わせて顔に相当する部分に乳児の顔を印刷させた写真表示部を形成させるぬいぐるみ本体を製造させ、ぬいぐるみ本体内に米袋を収容させることにより製造させ、かつ、製造した米収容ぬいぐるみを前記送付先データに含まれる送付先に送付させる送り先ラベルをプリンタに印刷させることを特徴とする米収容ぬいぐるみの販売方法。
【請求項６】
前記乳児が出生した病院に前記注文ページのアドレスと病院側のカルテ管理サーバが管理する乳児を識別する識別情報とを記録してなる案内状を配布し、
この案内状に記録された情報にしたがって前記利用者側端末が注文ページにアクセスするときに前記受注サーバが前記識別情報を収集し、病院側のカルテ管理サーバにアクセスし前記識別情報を用いて乳児のカルテ情報から少なくとも乳児の誕生時の体重のデータを収集して前記フォームに反映させる請求項５に記載の米収容ぬいぐるみの販売方法。
【請求項７】
請求項１〜請求項４の何れかに記載の米収容ぬいぐるみを販売するシステムであり、
インターネットにアクセスする利用者側端末から、少なくとも乳児の誕生時の体重、乳児の顔を撮像した画像を含む乳児データ、米収容ぬいぐるみの送付を依頼する利用者に関する利用者データ、米収容ぬいぐるみの送付先に関する送付先データを含む受注データを収集するフォームを備える注文ページを公開する注文ページ公開手段と、
注文ページのフォームを用いて入力された乳児データに含まれる乳児の体重と米の代金の関係から利用料金を算出してこれを前記注文ページに反映させる一方、利用者側端末から各データが入力されたことにより受注データを収集する受注サーバと、
この受注サーバが収集した受注データに含まれる前記体重に合わせた重量の米を収容させた米袋を製造し、前記乳児データに合わせて顔に相当する部分に乳児の顔を印刷させた写真表示部を形成させるぬいぐるみ本体を製造し、ぬいぐるみ本体内に米袋を収容する製造手段と、
送付先に送付させる送り先ラベルを生成し、製造した米収容ぬいぐるみを前記送付先データに含まれる送付先に発送する発送手段とを備えることを特徴とする米収容ぬいぐるみの販売システム。
【請求項８】
前記乳児が出生した病院に配置され、案内状に記録させた乳児を識別する識別情報に対応する乳児の出生時の体重データを示す乳児データを記録してある病院側のカルテ管理サーバを有し、
前記受注サーバが前記案内状に記録された注文ページにアクセスする前記利用者側端末から前記識別情報を収集し、病院側のカルテ管理サーバにアクセスし前記識別情報を用いて乳児のカルテ情報から少なくとも乳児の誕生時の体重のデータを収集して前記フォームに反映させるものである請求項７に記載の米収容ぬいぐるみの販売システム。
【発明の詳細な説明】
【技術分野】
【０００１】
本発明は、米の収納と子供の出生報告を兼ねると共に出産の感動を分かち合うことができる米収容ぬいぐるみ、米収容ぬいぐるみの販売方法および米収容ぬいぐるみの販売システムを提供するものである。
【背景技術】
【０００２】
従来より、日本には子供の出生を皆で祝う習慣があり、出産祝いを贈与することがある。また、この出産祝いのお返しに、感謝の気持ちとして贈り物をする習慣もある。特許文献１には子供の写真と、生年月日と、体重を表記した米袋本体と、米袋本体内に子供の出産時の体重に合わせた重量のお米を収納した子供写真付米袋について記載されている。この米袋を用いることにより、子供の出生報告と贈り物を同時に行うことができる。また、米の販売促進を行うことができるという利点がある。
【先行技術文献】
【特許文献】
【０００３】
【特許文献１】実用新案登録第３１３５１３５号公報
【発明の概要】
【発明が解決しようとする課題】
【０００４】
しかしながら、従来の米袋は単に米を収容するためだけの収容体であるので、これを受け取った側は、米袋に書かれた広告のように出生報告の情報を確認するだけに留まり、以後は米袋を開封して、米を食用に用いることしか行われておらず、これに伴う感動が少なかった。
【０００５】
本発明は上述の事柄を考慮に入れてなされたものであり、贈り物としての米の贈与や子供の出産報告のみならず、出産時の感動さえも分かち合うことができる米収容ぬいぐるみ、米収容ぬいぐるみの販売方法および米収容ぬいぐるみの販売システムを提供することを課題とする。
【課題を解決するための手段】
【０００６】
第１発明は、乳児の体重に合わせた重量の米を収容してなる米袋と、乳児の体に合わせた立体形状であると共に前記米袋を収容可能に構成されたぬいぐるみ本体とを有し、前記ぬいぐるみ本体の顔に相当する部分に乳児の顔を印刷してなる写真表示部を備えることを特徴とする米収容ぬいぐるみを提供する（請求項１）。
【０００７】
前記構成によれば、米袋内に収容した米が乳児の体重に合わせた重量であるから、この米収容ぬいぐるみの重量は乳児を抱いたときの重量とほぼ同じである。また、ぬいぐるみ本体は乳児の体型に合わせた立体形状であるから、米収容ぬいぐるみを幼児のように抱くことが可能である。加えて、ぬいぐるみ本体の顔に相当する部分に写真表示部を備えるので、誕生した乳児のお披露目を十分に行うことができると共に、米収容ぬいぐるみの外観が乳児服を着せた乳児にリアルに類似する。しかしながら、米収容ぬいぐるみを乳児と見間違えるほど、詳細な点まで乳児にリアルに類似するものではないので、疑似体験であることを意識しながら米収容ぬいぐるみを心地よく抱くことができる。なお、乳児の体重は誕生時に測定したものであることにより、米収容ぬいぐるみを抱いた感覚を新生児を抱いた感覚にすることができる。一方、乳児の発注時の体重に合わせるなど…種々の変形が考えられる。
【０００８】
米袋は米を外気から遮断することができる程度に丈夫であると共に、光を遮断することができ、適宜の通気性を有する紙または麻布からなることが好ましく、その形状は立体的な形となるように襠部を備えるものであることが好ましい。あるいは、米袋を合成樹シートによって形成する場合には、遮光のための着色および／または塗装が施されていることが好ましく、米が呼吸できる程度の小さい穴を形成してあることが好ましい。
【０００９】
ぬいぐるみ本体は乳児の着衣に類似した生地で形成されたものであることが好ましく、赤外線および紫外線を含む光を遮断するものであることにより、米の劣化を抑えることができるので好ましい。ぬいぐるみ本体は米袋を収容可能に構成されており、この構成は例えばぬいぐるみ本体の背面に形成された開口部と、この開口部に取り付けられたファスナー（ジッパーまたは面ファスナ）であることが好ましい。あるいは、ファスナーの代わりに開口部に並べて配置されたボタンとボタン取付け孔であってもよい。
【００１０】
前記ぬいぐるみ本体の形状が、乳児服に似せたデザインを施した形状である場合（請求項２）には、米収容ぬいぐるみを抱いた人が乳児服のデザインによって乳児を抱いた感覚を得ることができる。乳児服のデザインは乳児が実際に着る乳児服に合わせたものを選択することによって、さらに臨場感をえることができる。
【００１１】
前記写真表示部が乳児の顔が印刷されたシートの顔部分を切り取ってぬいぐるみ本体に貼着して形成された顔印刷シートからなる場合（請求項３）には、着色を施しにくい生地からなるぬいぐるみ本体に対して乳児の顔を容易に形成することができる。顔印刷シートはぬいぐるみ本体に比べて平坦な布であることが好ましく、これによって印刷を容易に施すことができるだけでなく、乳児の滑らかな皮膚を表現することができる。
【００１２】
前記米袋は米の種類、生産地、生産者の少なくとも一つを含む生産情報および追加注文方法が記載された米情報記録部を備える場合（請求項４）には、米収容ぬいぐるみの中から取り出した米袋に記載された米情報記録部を用いて収容されている米の生産情報を得ることができるので、消費者は安心して米を食することができる。加えて、米情報記録部によって追加注文方法を確認できるので、消費者は容易に米を追加注文する事ができる。
【００１３】
第２発明は、前記米収容ぬいぐるみを販売する方法であり、インターネットにアクセスする利用者側端末から少なくとも乳児の体重、乳児の顔を撮像した画像を含む乳児データ、米収容ぬいぐるみの送付を依頼する利用者に関する利用者データ、米収容ぬいぐるみの送付先に関する送付先データを含む受注データを受注サーバに収集するフォームを備える注文ページを公開し、この受注サーバが前記注文ページのフォームを用いて入力された乳児データに含まれる乳児の体重と米の代金の関係から利用料金を算出してこれを注文ページに反映させ、利用者側端末から各データが入力された後に受注サーバに収集した受注データに含まれる前記体重に合わせた米袋を製造部に製造させ、前記乳児データに合わせて顔に相当する部分に乳児の顔を印刷させた写真表示部を形成させるぬいぐるみ本体を製造させ、ぬいぐるみ本体内に米袋を収容させることにより製造させ、かつ、製造した米収容ぬいぐるみを前記送付先データに含まれる送付先に送付させる送り先ラベルをプリンタに印刷させることを特徴とする米収容ぬいぐるみの販売方法（請求項５）を提供する。
【００１４】
前記米収容ぬいぐるみの販売方法によれば、利用者は利用者側端末をインターネットに接続し、注文ページにアクセスし、そのフォームに従って乳児データおよび送付先データを含む受注データを入力することにより、前記注文ページを介して米代を含む米収容ぬいぐるみの価格を確認し、この米収容ぬいぐるみを発注することができる。また、米収容ぬいぐるみの提供者は、インターネットを介して受注サーバに入力された受注データによって乳児の出生を報告すると共に感謝を表わす米収容ぬいぐるみを各送付先の消費者に送付することができる。
【００１５】
前記乳児データには乳児の顔を撮像した画像が含まれており、この画像は利用者のデジタルカメラ等を用いて撮像したものを利用者側端末を介して入力することができる。あるいは乳児を撮った写真をスキャナ入力して利用者側端末に入力する。注文サーバはフォームに従って入力された乳児の体重に合わせて米の重量を計算し、注文ページに反映させるので、利用者は、この米代を含む米収容ぬいぐるみの代金を確認して、発注することができる。
【００１６】
一方、受注サーバは入力された受注データに基づいて乳児の体重に合わせた米袋を製造部に製造させ、前記乳児データに合わせて顔に相当する部分に乳児の顔を印刷させた写真表示部を形成させるぬいぐるみ本体を製造させ、ぬいぐるみ本体内に米袋を収容させることにより製造させ、かつ、製造した米収容ぬいぐるみを前記送付先データに含まれる送付先に送付させる送り先ラベルをプリンタに印刷させることにより、依頼者からの乳児出産報告と感謝の気持ちを適正に伝える米収容ぬいぐるみを生産し、発送することができる。
【００１７】
前記乳児が出生した病院に前記注文ページのアドレスと病院側のカルテ管理サーバが管理する乳児を識別する識別情報とを記録してなる案内状を配布し、この案内状に記録された情報にしたがって前記利用者側端末が注文ページにアクセスするときに前記受注サーバが前記識別情報を収集し、病院側のカルテ管理サーバにアクセスし前記識別情報を用いて乳児のカルテ情報から少なくとも乳児の体重のデータを収集して前記フォームに反映させる場合（請求項６）には、病院側のカルテ管理サーバによって管理されている乳児の体重データを受注サーバに収集することにより、利用者が注文ページに入力するデータを少なくすることができ、それだけ利便性が向上する。案内状に記録するアドレスと識別情報はまとめられていることが好ましく、ＵＲＬとこれに付随するパラメータであることが考えられ、例えば、バーコードや二次元コードによって案内状に記載されていることが好ましい。前記体重は乳児の誕生時の体重であることにより、誕生の歓びを適正に表現できる。
【００１８】
第３発明は、前記米収容ぬいぐるみを販売するシステムであり、インターネットにアクセスする利用者側端末から、少なくとも乳児の体重、乳児の顔を撮像した画像を含む乳児データ、米収容ぬいぐるみの送付を依頼する利用者に関する利用者データ、米収容ぬいぐるみの送付先に関する送付先データを含む受注データを収集するフォームを備える注文ページを公開する注文ページ公開手段と、注文ページのフォームを用いて入力された乳児データに含まれる乳児の体重と米の代金の関係から利用料金を算出してこれを前記注文ページに反映させる一方、利用者側端末から各データが入力されたことにより受注データを収集する受注サーバと、この受注サーバが収集した受注データに含まれる前記体重に合わせた重量の米を収容させた米袋を製造し、前記乳児データに合わせて顔に相当する部分に乳児の顔を印刷させた写真表示部を形成させるぬいぐるみ本体を製造し、ぬいぐるみ本体内に米袋を収容する製造手段と、送付先に送付させる送り先ラベルを生成し、製造した米収容ぬいぐるみを前記送付先データに含まれる送付先に発送する発送手段とを備えることを特徴とする米収容ぬいぐるみの販売システム（請求項７）を提供する。
【００１９】
前記米収容ぬいぐるみの販売システムによれば、注文ページ公開手段によって米収容ぬいぐるみの注文ページがインターネット上に公開されるので米収容ぬいぐるみの販売促進を行うことができる。利用者は利用者側端末をインターネットに接続し、注文ページにアクセスし、そのフォームに従って乳児データおよび送付先データを含む受注データを入力することにより、前記注文ページを介して米代を含む米収容ぬいぐるみの価格を確認し、この米収容ぬいぐるみを発注することができる。
【００２０】
受注サーバは注文ページのフォームを用いて入力された乳児データに含まれる乳児の体重と米の代金の関係から利用料金を算出してこれを前記注文ページに反映させる一方、利用者側端末から各データが入力されたことにより受注データを収集し、製造手段が受注データに含まれる前記体重に合わせた重量の米を収容させた米袋を製造し、前記乳児データに合わせて顔に相当する部分に乳児の顔を印刷させた写真表示部を形成させるぬいぐるみ本体を製造し、ぬいぐるみ本体内に米袋を収容することにより、各利用者の設定した米収容ぬいぐるみを生産することができる。
【００２１】
さらに、発送手段が送付先に送付させる送り先ラベルを生成し、製造した米収容ぬいぐるみを前記送付先データに含まれる送付先に発送することにより、利用者によって入力された受注データによって指定される消費者に米収容ぬいぐるみを送付することができる。なお、発送手段には、送り先ラベルの印刷用プリンタと、米収容ぬいぐるみの収容体に送り先ラベルの貼り付け装置と、発送用トラックへの積み込み装置とを含むことが好ましい。
【００２２】
前記乳児データには乳児の顔を撮像した画像が含まれており、この画像は利用者のデジタルカメラ等を用いて撮像したものを利用者側端末を介して入力することができる。注文サーバはフォームに従って入力された乳児の体重に合わせて米の重量を計算し、注文ページに反映させるので、利用者は、この米代を含む米収容ぬいぐるみの代金を確認して、発注することができる。
【００２３】
一方、受注サーバは入力された受注データに基づいて乳児の体重に合わせた米袋を製造部に製造させ、前記乳児データに合わせて顔に相当する部分に乳児の顔を印刷させた写真表示部を形成させるぬいぐるみ本体を製造させ、ぬいぐるみ本体内に米袋を収容させることにより製造させ、かつ、製造した米収容ぬいぐるみを前記送付先データに含まれる送付先に送付させる送り先ラベルをプリンタに印刷させることにより、依頼者からの乳児出産報告と感謝の気持ちを適正に伝える米収容ぬいぐるみを生産し、発送することができる。
【００２４】
前記乳児が出生した病院に配置され、案内状に記録させた乳児を識別する識別情報に対応する乳児の出生時の体重データを示す乳児データを記録してある病院側のカルテ管理サーバを有し、前記受注サーバが前記案内状に記録された注文ページにアクセスする前記利用者側端末から前記識別情報を収集し、病院側のカルテ管理サーバにアクセスし前記識別情報を用いて乳児のカルテ情報から少なくとも乳児の体重のデータを収集して前記フォームに反映させるものである場合（請求項８）には、受注サーバがカルテ管理サーバにアクセスして乳児の誕生時の体重データを収集してフォームに反映させることにより、利用者が注文ページに入力するデータを少なくすることができ、それだけ利便性が向上する。案内状に記録するアドレスと識別情報はまとめられていることが好ましい。
【発明の効果】
【００２５】
前述したように、第１発明の米収容ぬいぐるみによれば、利用者は米収容ぬいぐるみの発注によって乳児の出生を報告するお披露目と共に感謝の気持ちを伝えることができる。米収容ぬいぐるみを受け取った消費者は、米収容ぬいぐるみによって誕生した乳児の顔を確認できるだけでなく、乳児とほぼ同じ体重の米収容ぬいぐるみを抱くことにより乳児を抱く疑似体験をすることができる。また、消費者は米袋に収容された米を食用に用いることができ、実用的である。加えて、米の販売促進を行うことができる。
【００２６】
米収容ぬいぐるみの外観が乳児服に似せたデザインである場合には、米収容ぬいぐるみを抱いた感覚を容易に実際の乳児に近づけることができ、違和感を感じるほど乳児に似ることはない。写真表示部として顔印刷シートを用いる場合には、製造が容易となり、それだけ米収容ぬいぐるみの生産コストを引き下げながら、リアルさを得ることができる。米袋に米情報記録部を設けた場合には、継続して顧客を得ることができるので米のさらなる販売促進を行うことができる。
【００２７】
第２発明の米収容ぬいぐるみの販売方法および第３発明の米収容ぬいぐるみの販売システムによれば、受注サーバがインターネット回線を用いて容易かつ迅速に米収容ぬいぐるみの発注を自動的に行うことができる。乳児の顔の画像は利用者が気に入ったものを利用者側のデジカメやスキャナなどの入力装置を用いて容易に入力でき、注文ページを用いて納得のいく状態に編集できるので、思い通りの米収容ぬいぐるみを用意でき、これを指定した送付先の各消費者に送付できる。
【００２８】
前記受注サーバが病院側のカルテ管理サーバと通信をする場合には、利用者が乳児の体重（とりわけ誕生時の体重）などを利用者が覚えていない（または知らない）場合にも、適正な米収容ぬいぐるみの生産を依頼することができるので利便性が向上する。また、案内状を産婦人科の病院に配布しておくだけで、米の販売促進を図ることができる。
【図面の簡単な説明】
【００２９】
【図１】本発明の米収容ぬいぐるみの構成を示す図である。
【図２】前記米収容ぬいぐるみの分解図である。
【図３】前記米収容ぬいぐるみの変形例を示す分解図である。
【図４】本発明の米収容ぬいぐるみの販売方法および米収容ぬいぐるみの販売システムの構成を示す図である。
【発明を実施するための形態】
【００３０】
以下、図１〜図２を用いて、本発明の実施形態にかかる米収容ぬいぐるみ１の構成を説明する。
【００３１】
図１，２に示すように、本実施形態の米収容ぬいぐるみ１は、乳児の体重に合わせた重量の米２を収容してなる米袋３と、乳児の体に合わせた立体形状であると共に前記米袋３を収容可能に構成されたぬいぐるみ本体４とを有し、前記ぬいぐるみ本体４の顔に相当する部分の表面に乳児の顔を印刷してなる写真表示部５と、ぬいぐるみ本体４内に挿入されるクッション材６とを備えるものである。
【００３２】
前記米２は例えば無農薬または低農薬で育てたものであることが好ましく、その重量は乳児の体重に合わせるようにその量が調整されている。そして、米袋３には米２の種類２ａ、生産地２ｂ、生産者の情報２ｃを記載した米情報記録部３ａを形成している。また、３ｂは米２を確認できるように構成された窓部であり、３ｃは米袋３を立体的に形成するための襠部、３ｄは米袋３の開口部を閉じた状態で保持するための紐である。
【００３３】
前記ぬいぐるみ本体４はその裏面側に米袋３を出し入れ可能とする開口部４ａを備えており、この開口部４ａにはこれを開閉自在とするファスナ４ｂとを備える。また、ぬいぐるみ本体４は伸縮性に優れた材料からなり、米袋３の大きさの違いに柔軟に対応できるように構成している。さらに、ぬいぐるみ本体４の材質およびデザインは一般的な乳児服に合わせて複数の種類がある中から選択可能とすることが好ましい。
【００３４】
前記写真表示部５は裏面に熱によって溶着するアイロン接着シートを取り付け、表面にインクジェットプリンタなどによって写真の直接印刷を行うことができるように平坦に形成されたインクの吸着性および定着性を引き上げる加工を施してなる布材であって、その表面には乳児の顔写真が印刷されている顔印刷シートである。
【００３５】
前記クッション材６は米２の分量がぬいぐるみ本体４の容積に比べて小さい場合に米収容ぬいぐるみ１の頭部分に挿入される伸縮性に富んだ布材からなる。なお、米収容ぬいぐるみ１に積み込む量が多い場合は、前記クッション材６を省略してもよいことは言うまでもない。
【００３６】
前記構成の米収容ぬいぐるみ１は、その外観が乳児服を着用した乳児に似ており、かつ、米収容ぬいぐるみ１の重量が乳児の体重に等しくなるように調整しているので、消費者がこの米収容ぬいぐるみを抱くときに、乳児を抱いている感覚を得ることができる。このとき、米収容ぬいぐるみ１の乳児の顔に相当する部分に写真表示部が形成されているので、乳児を抱いている疑似体験をするために必要十分なリアルさを得ることができる。加えて、前記ぬいぐるみ本体４は外部からの直射日光を避けるものとなるだけでなく、断熱効果を得ることができるので、米袋３内の米２の劣化を抑えることができる。
【００３７】
また、消費者が前記ファスナ４ｂを開いて、米収容ぬいぐるみ１内の米袋３を米収容ぬいぐるみ本体４から取り出して、これを開封することにより、米２を食用に使用することも可能である。さらに、このとき消費者は米袋３に記録された米情報記録部３ａを読むことができるので、この情報によって安心感を得ることができる。また、消費者は食べた米２が気に入った場合には、米情報記録部３ａの記載２ａ、２ｂ…を頼りに米２の追加注文を行うことができる。
【００３８】
図３は前記米収容ぬいぐるみ１の変形例を示す別の米収容ぬいぐるみ１’の構成を説明する図である。図３に示すように、ぬいぐるみ本体４’の裏面に設けた開口部４ａには、間欠的に配置された面ファスナ４ｃ，４ｄ（例えば、マジックテープ：クラレファスニング株式会社登録商標）を取り付けてあり、開口部４ａを開閉自在に構成している。一方、ぬいぐるみ本体４’内に収容される米袋３’は乳児のおよその体型に合わせて形成された立体形状になるように布を縫い合わせた本体３ｅと、この本体３ｅの開口部を閉じる紐３ｆとを備える。さらに、３ｇには乳児の両腕の形に形成された膨出部である。なお、この布の代わりに合成樹脂シートを用いる場合には光を幾らか遮断できる程度の着色を施して、その通気性を幾らか向上させるための小さな孔を形成する。
【００３９】
本実施形態のように構成することにより、米収容ぬいぐるみ１’は更に立体的に形成され、消費者は米収容ぬいぐるみ１’を抱くときに更にリアルに乳児を抱いた感覚を得ることができる。また、ぬいぐるみ本体４’の隅々まで米を充填できるので、より多くの米を収容でき、クッション材６のようなものを用いる必要がない。
【００４０】
図４は前記米収容ぬいぐるみ１，１’…の販売システム１０の構成を示し、米収容ぬいぐるみの販売方法を説明する図である。
【００４１】
図４において、１１はネットワークの一例としてのインターネット、１２はインターネット１１にアクセスする利用者側端末、１３はインターネット１１を介して利用者端末に接続される注文ページＰの公開Ｗｅｂサーバ（注文ページ公開手段）、１４はこのＷｅｂサーバ１３にアクセス可能に構成された受注サーバ、１５は受注サーバの指示に従って前記米収容ぬいぐるみ１，１’…を製造する製造システム（製造手段）、１６は産婦人科を有する病院のカルテ管理サーバ、１７は病院に配布する案内状である。
【００４２】
すなわち、本実施形態の米収容ぬいぐるみ販売システム１０はＷｅｂサーバ１３と受注サーバ１４と製造部１５とからなり、インターネット１１を介して利用者側端末１２からの受注処理を受け付けて、そのまま製造部１５に米収容ぬいぐるみ１を製造させて、発送させるものである。なお、本実施形態ではさらに病院のカルテ管理サーバ１６を米収容ぬいぐるみ１，１’…の一部として接続している例を示しているが、このカルテ管理サーバ１６は必須の構成要素ではない。
【００４３】
前記インターネット１１は開かれたネットワークのみならず、限られた範囲で相互通信を行うコンピュータネットワーク（イントラネット）を含むものである。
【００４４】
前記利用者側端末１２はインターネット１１に接続可能な利用者側のコンピュータであり、デスクトップパソコン、ラップトップパソコン、各種ＰＤＡ機器、インターネット１１接続機能を有する携帯電話を含むものである。この利用者側端末１２は表示部１２ａを有し、この表示部１２ａには少なくとも乳児の体重、乳児の顔を撮像した画像を含む乳児データＤ１、米収容ぬいぐるみの送付を依頼する利用者に関する利用者データＤ２、米収容ぬいぐるみの送付先に関する送付先データＤ３を含む受注データＤを入力可能とするフォームＰ１〜Ｐ３を表示可能に構成されている。
【００４５】
Ｗｅｂサーバ１３は本実施形態ではインターネットプロバイダなどが所有するサーバであり、前記利用者側端末１２からの要求に応じて、その画面１２ａに表示させる注文ページＰを記録し、利用者側端末１２から前記注文ページＰ１を表示するための接続情報を受信し、利用者側端末１２から入力される各種データＤ（Ｄ１，Ｄ２…）を受け取って記録する機能を有するものである。なお、このＷｅｂサーバ１３を後述する受信サーバ１４と同じ情報処理装置によって形成してもよい。
【００４６】
前記受注サーバ１４は米収容ぬいぐるみ１の製造を行う業者が所有するコンピュータシステムであり、前記Ｗｅｂサーバ１３にアクセスすることにより利用者側端末１２から入力された各種データＤ（Ｄ１，Ｄ２…）を受信し、米収容ぬいぐるみ１の製造に関わる各製造システム１５に指示を出力するものである。
【００４７】
さらに、前記製造システム１５は利用者側端末１２から入力された乳児データＤ１に含まれるデザインデータＤ１１に合わせて米収容ぬいぐるみ１のぬいぐるみ本体４のデザインを選択するデザイン選択部１５ａ、前記乳児データＤ１に含まれる乳児の体重データＤ１２に合わせて袋体３の選択およびクッション材６の要否、および、袋体３，３’…の材質などを選択して所定量の米を収容する米収容部１５ｂ、利用者側端末１２から入力された顔の画像データＤ１３を用いて顔印刷シート５を生成する写真表示部形成部１５ｃ、および、これらを組み合わせて米収容ぬいぐるみ１を生成すると共に箱詰めして送付先データＤ３に従った送り状シートを印刷して貼着する発送部１５ｄを有する。
【００４８】
一方、前記カルテ管理サーバ１６は病院に配置されて病院内の各種データを管理するサーバである。また、このカルテ管理サーバ１６は同時に各乳児の乳児管理データＤ４を記録している。この乳児管理データＤ４は識別情報ＩＤと、これに関連づけられた誕生時の体重および乳児の顔を撮像した写真を記録してなる情報である。
【００４９】
前記案内状１７には本発明の米収容ぬいぐるみの販売システム１０を利用するための前記Ｗｅｂサーバ１３に記録させるＵＲＬと、このＵＲＬに付け加えられた前記識別情報ＩＤを含むパラメータとからなる接続情報Ｉを、例えば文字Ｔおよび二次元コードＱによって記録してあるものである。
【００５０】
次に前記米収容ぬいぐるみの販売システム１０を用いた米収容ぬいぐるみの販売方法を説明する。
【００５１】
利用者は病院などで配布された案内状１７を受け取り、この案内状１７に記録された接続情報を文字Ｔまたは二次元コードＱによって利用者側端末１２に入力することにより、インターネット１１を介して前記Ｗｅｂサーバ１３に接続し、その画面１２ａに注文ページＰを表示させることができる。
【００５２】
このとき、Ｗｅｂサーバ１３は利用者側端末１２から入力された接続情報に含まれるパラメータとして前記識別情報ＩＤを得ることができ、これを受注サーバ１４に送信する。受注サーバ１４は識別情報を前記カルテ管理サーバ１６内の乳児管理データＤ４を検索して、その乳児の誕生時の体重データを入手し、これをＷｅｂサーバ１３に送信する。
【００５３】
また、本実施形態の注文ページＰは各注文ページＰ１，Ｐ２…を段階的に表示するものであり、この注文ページＰ１は例えば米収容ぬいぐるみ１のデザインを選択するデザインデータＤ１１、乳児の体重データＤ１２、顔の画像データＤ１３等の乳児データＤ１の入力部、利用者の名前Ｄ２１、住所Ｄ２２、電話番号Ｄ２３等の利用者データＤ２の入力部、および、送付先データＤ３の入力部を有するものである。
【００５４】
なお、前記体重データＤ１２には前記Ｗｅｂサーバ１３が受け取った誕生時の体重データをデフォルト値として表示させる。さらに、前記注文ページＰ１には米の代金表示部Ｅｎ、および、前記画像データＤ１３の格納フォルダの場所を入力するための入力部Ｆ１と、送付先データＤ３の一例としての送付リストＬの入力部Ｆ２を備える。
【００５５】
利用者は前記注文ページＰ１に示すフォームに従って各データＤ１１，Ｄ１２…を入力すると、各データＤ１，Ｄ２…がＷｅｂサーバ１３を介して受注サーバ１４に入力される。また、Ｗｅｂサーバ１３は各データＤ１の入力が行われると次の注文ページＰ２を表示させる。
【００５６】
注文ページＰ２は米収容ぬいぐるみ１，１’…のデザインの選択およびプレビューＰｖを表示する画面であり、例えば、乳児の顔を印刷してなる写真表示部の選択ボタンＢ１、ぬいぐるみ本体のデザインの選択ボタンＢ２、および、米種などのブランドおよび精査者情報などを画面に表示させて編集可能とする選択ボタンＢ３と表示させるものである。従って、利用者は一連のＷｅｂページにおいて多数の設定値を画面１２ａに表示される注文ページＰ２のフォームを用いて視覚的に確認することができる。さらに、注文ページＰ２には、保存ボタンＢ４とキャンセルボタンＢ５を表示する。
【００５７】
また、注文ページＰ３は前記保存ボタンＢ４を押したときに表示され、注文内容の確認を行うための送付先リストＤ３の表示部と、各送付先に送る米の種類を入力する入力部Ｉｐを有するものである。
【００５８】
上述のフォームを用いて利用者端末１２に必要なデータＤ１，Ｄ２…を入力すると、受注サーバ１４がデザイン選択部１５ａに各乳児データＤ１に合わせてぬいぐるみ本体４，４’…を製造させ、米収容部１５ｂに米袋の選択およびお米の封入を行わせ、米収容部１５ｂに前記画像データＤ１３をプリンタＰＲ１によって印刷させて写真表示部５となる顔印刷シートを生成させ、これらを組みあわせて米収容ぬいぐるみ１を製造させる。加えて、受注サーバ１４は発送部１５ｄに完成済みの米収容ぬいぐるみ１を段ボールＤｂ内に封入させ、前記送付先データＤ３に基づいてプリンタＰＲ２に送り状Ｌを印刷させて、これを段ボールＤｂに貼着させて発送させる。
【００５９】
このようにして利用者が設定した乳児に似させた各米収容ぬいぐるみ１は利用者が指定した送付先に対して送付され、この米収容ぬいぐるみ１を受け取った消費者は、米収容ぬいぐるみ１によって心のこもった出生報告を受けることができる。また、米収容ぬいぐるみ１を抱くことにより、乳児を抱く疑似体験をすることができる。さらに、米袋３を取り出して米２を食用に用いることができる。加えて、米２を追加注文する場合には、消費者が米袋３に記載された製造者に連絡してこれを得ることが得きる。
【００６０】
すなわち、本実施形態の米収容ぬいぐるみの販売システムによれば、利用者はインターネット１１に接続可能な利用者側端末１２さえあれば容易に心のこもった出生報告を行うことができる。利用者は米収容ぬいぐるみ１のデザインを画面１２ａを用いて確認しながら発注を行うことができるので、思い通りの米収容ぬいぐるみ１を発注することができる。
【００６１】
他方、米の製造業者は受注サーバ１４を用いて自動的に米収容ぬいぐるみ１の受注を行って、容易に各乳児に似せた米収容ぬいぐるみ１を製造し、発送することができ、米２の販売促進を行うことができる。
【００６２】
なお、上述の実施形態では、病院側にい乳児管理データを管理するカルテ管理サーバ１６を設け、これと識別情報ＩＤを合わせた接続情報Ｔ，Ｑを記載した案内状を病院側に配置しているので、利用者が乳児の誕生時の体重を入力する手間を省くことができるように構成しているが、本発明はこれに限られるものではない。つまり、本発明の米収容ぬいぐるみの販売システム１０はＷｅｂサーバ１３と、受注サーバ１４と、米収容ぬいぐるみ１の製造部１５ａ〜１５ｃと、発送部１５ｄとからなるものであってもよい。
【符号の説明】
【００６３】
１，１’        米収容ぬいぐるみ
２              米
３，３’        米袋
４，４’        ぬいぐるみ本体
５              写真表示部
１０            米収容ぬいぐるみの販売システム
１１            インターネット
１２            利用者側端末
１３            注文ページ公開手段（Ｗｅｂサーバ）
１４            受注サーバ
１５ａ〜１５ｃ  製造手段（製造部）
１５ｄ          発送手段（発送部）
１６            カルテ管理サーバ
１７            案内状
ＩＤ            識別情報
Ｄ１            乳児データ
Ｄ２            利用者データ
Ｄ３            送付先データ
Ｐ              注文ページ
Ｐ１〜Ｐ３      フォーム
【図１】
2010218368.tif 000003
【図２】
2010218368.tif 000004
【図３】
2010218368.tif 000005
【図４】
2010218368.tif 000006